(57)【要約】      （修正有）【課題】ハーネス型安全帯の組立を低コストで行えるベルトの結束固定具を提供する。【解決手段】結束固定具１は、一片部２と、他片部３と、一片部と他片部を接続する連結バンド４を備える。一片部の矩形平板状部分２ａの一端に第１の壁２ｂが設けられ、他片部の矩形平板状部分３ａの他端に第２の壁３ｂが設けられる。一片部及び他片部が互いに離間した開いた位置と、連結バンドに関して二つ折りにされ、一片部及び他片部が互いに対向する閉じた位置とをとり得る。閉じた位置で、一片部及び他片部が第１の壁を介して互いに当接すると共に、各矩形平板状部分と第１及び第２の壁によって、一片部及び他片部が重ね合わされたベルトの先端及び本体を挟む隙間５が画成される。一片部の矩形平板状部分に円錐形突起８が設けられる。一片部の他端と他片部の他端に、一片部及び他片部を閉じた位置にロックし得るロック機構６、７が設けられる。【選択図】図１
0003224846.tif 000002
【実用新案登録請求の範囲】
【請求項１】
高所作業用安全帯のベルトとベルト連結金具との結合部に使用されるものであって、前記ベルトの先端が前記ベルト連結金具の通し孔に通された後、折り返され、前記ベルトの本体の一面側に重ね合わされた状態で、前記先端および前記本体を互いに結束して固定するベルトの結束固定具において、
細長い一片部と、細長い他片部と、を備え、
前記一片部および前記他片部はそれぞれ前記ベルトの幅に対応する長さを有する矩形平板状部分を有し、前記一片部および前記他片部のうちの一方の前記矩形平板状部分の一端に、前記矩形平板状部分の一面側に起立し当該矩形平板状部分の幅方向にのびる第１の壁が設けられ、前記一片部および前記他片部のうちの他方の前記矩形平板状部分の他端には、前記矩形平板状部分の一面側に起立し当該矩形平板状部分の幅方向にのびる第２の壁が設けられ、さらに、
前記一片部および前記他片部の前記一端同士を接続する、可撓性を有する連結バンドを備え、
前記連結バンドに関して二つ折りにされ、前記一片部および前記他片部が前記一面において互いに対向する閉じた位置と、前記一片部および前記他片部が互いに離間した開いた位置と、をとり得るようになっており、
前記閉じた位置をとるとき、前記一片部および前記他片部が少なくとも前記一端において前記第１の壁を介して互いに当接するとともに、前記一片部および前記他片部のそれぞれの前記矩形平板状部分と、前記第１および第２の壁とによって、前記一片部および前記他片部が前記重ね合わされた前記ベルトの前記先端および前記本体を横切る配置で前記ベルトの前記先端および前記本体を挟む断面がロ字状の隙間が画成され、
前記一片部および前記他片部のうちの少なくとも一方の前記矩形平板状部分における他方の前記矩形平板状部分に対向する面には、複数の先細り状の突起が設けられ、
前記一片部の他端と前記他片部の他端には、前記一片部および前記他片部を前記閉じた位置にロックし得るロック機構が設けられたものであることを特徴とするベルトの結束固定具。
【請求項２】
高所作業用安全帯のベルトとベルト連結金具との結合部に使用されるものであって、前記ベルトの先端が前記ベルト連結金具の通し孔に通された後、折り返され、前記ベルトの本体の一面側に重ね合わされた状態で、前記先端および前記本体を互いに結束して固定するベルトの結束固定具において、
細長い一片部と、細長い他片部と、を備え、
前記一片部および前記他片部はそれぞれ前記ベルトの幅に対応する長さを有する矩形平板状部分を有し、前記一片部および前記他片部のうちの少なくとも一方の前記矩形平板状部分の一端に、前記矩形平板状部分の一面側に起立し当該矩形平板状部分の幅方向にのびる第１の壁が設けられ、他端には、前記矩形平板状部分の前記一面側に起立し当該矩形平板状部分の幅方向にのびる第２の壁が設けられ、さらに、
前記一片部および前記他片部の前記一端同士を接続する、可撓性を有する連結バンドを備え、
前記一片部および前記他片部が互いに離間した開いた位置と、前記連結バンドに関して二つ折りにされ、前記一片部および前記他片部が前記一面において互いに対向する閉じた位置と、をとり得るようになっており、
前記閉じた位置をとるとき、前記一片部および前記他片部が少なくとも前記一端において前記第１の壁を介して互いに当接するとともに、前記一片部および前記他片部のそれぞれの前記矩形平板状部分と、前記第１および第２の壁とによって、前記一片部および前記他片部が前記重ね合わされた前記ベルトの前記先端および前記本体を横切る配置で前記ベルトの前記先端および前記本体を挟む断面がロ字状の隙間が画成され、
前記一片部および前記他片部のうちの少なくとも一方の前記矩形平板状部分における他方の前記矩形平板状部分に対向する面には、複数の先細り状の突起が設けられ、
前記一片部の他端と前記他片部の他端には、前記一片部および前記他片部を前記閉じた位置にロックし得るロック機構が設けられたものであることを特徴とするベルトの結束固定具。
【請求項３】
前記ロック機構は、
前記一片部および前記他片部のうちの一方の前記矩形平板状部分の前記他端に設けられた係合突起と、
前記一片部および前記他片部のうちの他方の前記矩形平板状部分の前記他端に設けられ、前記係合突起と係合し得る係合孔とからなっていることを特徴とする請求項１または請求項２に記載のベルトの結束固定具。
【請求項４】
合成樹脂から一体成型されたものであることを特徴とする請求項１〜請求項３のいずれかに記載のベルトの結束固定具。
【考案の詳細な説明】
【技術分野】
【０００１】
本考案は、高所作業用安全帯、特に、ハーネス型安全帯のベルトとベルト連結金具との結合部に使用されるベルトの結束結合具に関するものである。
【背景技術】
【０００２】
高所作業用安全帯の１つとして、ハーネス型安全帯がある（例えば、特許文献１参照）。
ハーネス型安全帯は、着用者の腰のまわりに締付け固定された胴ベルトと、着用者の正面側において胴ベルトに直交して連結された胸当てベルトと、着用者の左右の肩にそれぞれ掛けられた一対の肩掛けベルトを備えている。
【０００３】
一対の肩掛けベルトは、着用者の背面側において互いに交差した状態で胴ベルトに連結される一方、着用者の正面側において互いにＶ字状に交差した状態で胸当てベルトの上端部に連結されている。
【０００４】
ハーネス型安全帯は、さらに、着用者の左右の腿のそれぞれのまわりに締付け固定された一対の腿ベルトと、着用者の正面側において、一対の腿ベルトのそれぞれを胴ベルトに連結する第１の連結ベルトと、着用者の背面側において、一対の腿ベルトのそれぞれを胴ベルトに連結する第２の連結ベルトを備えている。
【０００５】
そして、第１の連結ベルトは、逆Ｖ字形状をなし、上端部が胸当てベルトの下端部に連結される一方、左右の下端部がそれぞれ対応する腿ベルトに連結される。また、着用者の正面側において、胴ベルトが、胸当てベルトとの連結部の両側にそれぞれ、各１つの、第１のバックルからなる切離し可能な連結部を有するとともに、一対の腿ベルトのそれぞれが、第１の連結ベルトとの連結部の両側にそれぞれ、各１つの、第２のバックルからなる切離し可能な連結部を有している。
【０００６】
このように、ハーネス型安全帯にはベルト同士の連結部が多数存在し、この連結は、通常、連結すべきベルトの先端を連結金具の通し孔に通した後、折返して、ベルトの本体の一面側に重ね合わせ、先端およびベルトの本体を綴じ糸によってベルトの本体に縫合することによってなされている。
【０００７】
しかしながら、この連結部を形成する作業は、ミシン等を用いて手作業で行われるので、手間と労力を要し、そのため、ハーネス型安全帯の組立にコストがかかるという問題があった。
【先行技術文献】
【特許文献】
【０００８】
【特許文献１】実用新案登録第３１５９８７３号公報
【考案の概要】
【考案が解決しようとする課題】
【０００９】
したがって、本考案の課題は、ハーネス型安全帯の組立がより低コストで行えるようにすることにある。
【課題を解決するための手段】
【００１０】
上記課題を解決するため、第１の考案は、高所作業用安全帯のベルトとベルト連結金具との結合部に使用されるものであって、前記ベルトの先端が前記ベルト連結金具の通し孔に通された後、折り返され、前記ベルトの本体の一面側に重ね合わされた状態で、前記先端および前記本体を互いに結束して固定するベルトの結束固定具において、細長い一片部と、細長い他片部と、を備え、前記一片部および前記他片部はそれぞれ前記ベルトの幅に対応する長さを有する矩形平板状部分を有し、前記一片部および前記他片部のうちの少なくとも一方の前記矩形平板状部分の一端に、前記矩形平板状部分の一面側に起立し当該矩形平板状部分の幅方向にのびる第１の壁が設けられ、他端には、前記矩形平板状部分の前記一面側に起立し当該矩形平板状部分の幅方向にのびる第２の壁が設けられ、さらに、前記一片部および前記他片部の前記一端同士を接続する、可撓性を有する連結バンドを備え、前記連結バンドに関して二つ折りにされ、前記一片部および前記他片部が前記一面において互いに対向する閉じた位置と、前記一片部および前記他片部が互いに離間した開いた位置と、をとり得るようになっており、前記閉じた位置をとるとき、前記一片部および前記他片部が少なくとも前記一端において前記第１の壁を介して互いに当接するとともに、前記一片部および前記他片部のそれぞれの前記矩形平板状部分と、前記第１および第２の壁とによって、前記一片部および前記他片部が前記重ね合わされた前記ベルトの前記先端および前記本体を横切る配置で前記ベルトの前記先端および前記本体を挟む断面がロ字状の隙間が画成され、前記一片部および前記他片部のうちの少なくとも一方の前記矩形平板状部分における他方の前記矩形平板状部分に対向する面には、複数の先細り状の突起が設けられ、前記一片部の他端と前記他片部の他端には、前記一片部および前記他片部を前記閉じた位置にロックし得るロック機構が設けられたものであることを特徴とするベルトの結束固定具を構成したものである。
【００１１】
上記課題を解決するため、また、第２の考案は、高所作業用安全帯のベルトとベルト連結金具との結合部に使用されるものであって、前記ベルトの先端が前記ベルト連結金具の通し孔に通された後、折り返され、前記ベルトの本体の一面側に重ね合わされた状態で、前記先端および前記本体を互いに結束して固定するベルトの結束固定具において、細長い一片部と、細長い他片部と、を備え、前記一片部および前記他片部はそれぞれ前記ベルトの幅に対応する長さを有する矩形平板状部分を有し、前記一片部および前記他片部のうちの一方の前記矩形平板状部分の一端に、前記矩形平板状部分の一面側に起立し当該矩形平板状部分の幅方向にのびる第１の壁が設けられ、前記一片部および前記他片部のうちの他方の前記矩形平板状部分の他端には、前記矩形平板状部分の一面側に起立し当該矩形平板状部分の幅方向にのびる第２の壁が設けられ、さらに、前記一片部および前記他片部の前記一端同士を接続する、可撓性を有する連結バンドを備え、前記一片部および前記他片部が互いに離間した開いた位置と、前記連結バンドに関して二つ折りにされ、前記一片部および前記他片部が前記一面において互いに対向する閉じた位置と、をとり得るようになっており、前記閉じた位置をとるとき、前記一片部および前記他片部が少なくとも前記一端において前記第１の壁を介して互いに当接するとともに、前記一片部および前記他片部のそれぞれの前記矩形平板状部分と、前記第１および第２の壁とによって、前記一片部および前記他片部が前記重ね合わされた前記ベルトの前記先端および前記本体を横切る配置で前記ベルトの前記先端および前記本体を挟む断面がロ字状の隙間が画成され、前記一片部および前記他片部のうちの少なくとも一方の前記矩形平板状部分における他方の前記矩形平板状部分に対向する面には、複数の先細り状の突起が設けられ、前記一片部の他端と前記他片部の他端には、前記一片部および前記他片部を前記閉じた位置にロックし得るロック機構が設けられたものであることを特徴とするベルトの結束固定具を構成したものである。
【００１２】
第１および第２の考案の構成において、好ましくは、前記ロック機構は、前記一片部および前記他片部のうちの一方の前記矩形平板状部分の前記他端に設けられた係合突起と、前記一片部および前記他片部のうちの他方の前記矩形平板状部分の前記他端に設けられ、前記係合突起と係合し得る係合孔とからなっている。
【００１３】
第１および第２の考案の構成において、また、前記ベルトの結束固定具は、合成樹脂から一体成型されていることが好ましい。
【考案の効果】
【００１４】
本考案によれば、高所作業用安全帯のベルトとベルト連結金具を結合する際、ベルトの先端をベルト連結金具の通し孔に通した後、折り返し、ベルトの本体の一面側に重ね合わせた状態で、開いた位置にある結束固定具の一片部および他片部のうちの一方の矩形平板状部分の一面上に置く。
【００１５】
次いで、一片部および他片部のうちの他方の矩形平板状部分に対応するベルト表面の領域に接着剤を塗布した後、結束固定具を二つ折りして閉じた位置に配置し、重ね合わされたベルトの先端と本体を一片部および他片部間に挟んだ状態でロックする。
【００１６】
このとき、結束固定具の先細り状の突起がベルトに食い込むことによって、ベルトの先端および本体は互いに結束された状態で固定され、さらにこの状態で結束固定具とベルトが接着剤によって接着固定される。
【００１７】
こうして、重ね合わされたベルトの先端および本体を、一片部と他片部の間に挟み、結束固定具を閉じた位置にロックするだけで、簡単にかつ短時間で互いに結束して固定することができ、それによって、ハーネス型安全帯の組立がより低コストで行えるようになる。
【図面の簡単な説明】
【００１８】
【図１】本考案の１実施例によるベルトの結束固定具を示す図であり、（Ａ）は結束固定具が開いた位置にあるときの平面図であり、（Ｂ）は結束固定具が開いた位置にあるときの側面図であり、（Ｃ）は結束固定具が閉じた位置にあるときの側断面図である。
【図２】図１の結束固定具の使用状態を示す斜視図である。
【図３】図１のベルトの結束固定具をベルト通し環として使用した変形例を示す図であり、（Ａ）は平面図であり、（Ｂ）は側面図であり、（Ｃ）は使用状態を示す斜視図である。
【考案を実施するための形態】
【００１９】
以下、添付図面を参照しつつ、本考案の構成を好ましい実施例に基づいて説明する。
図１は、本考案の１実施例によるベルトの結束固定具を示す図であり、（Ａ）は結束固定具が開いた位置にあるときの平面図であり、（Ｂ）は結束固定具が開いた位置にあるときの側面図であり、（Ｃ）は結束固定具が閉じた位置にあるときの側断面図である。また、図２は、図１の結束固定具の使用状態を示す斜視図である。
【００２０】
図２を参照して、本考案によるベルトの結束固定具１は、高所作業用安全帯、特に、ハーネス型安全帯のベルト９とベルト連結金具１０との結合部に使用されるものであり、そして、ベルト９の先端９ａがベルト連結金具１０の通し孔１０ａに通された後、折り返され、ベルト９の本体９ｂの一面側に重ね合わされた状態で、ベルト９の先端９ａおよび本体９ｂを互いに結束して固定する。
【００２１】
図１に示すように、本考案によるベルトの結束固定具１は、この実施例では、合成樹脂から一体成型されており、細長い一片部２と、細長い他片部３とを備えている。
一片部２および他片部３は、それぞれ、ベルトの幅に対応する長さを有する矩形平板状部分２ａ、３ａを有している。
【００２２】
そして、一片部２の矩形平板状部分２ａの一端に、矩形平板状部分２ａの一面側に起立し、矩形平板状部分２ａの幅方向にのびる第１の壁２ｂが設けられている。また、他片部３の矩形平板状部分３ａの他端に、矩形平板状部分３ａの一面側に起立し、矩形平板状部分３ａの幅方向にのびる第２の壁３ｂが設けられている。
なお、この実施例では、さらに、他片部３の矩形平板状部分３ａの他端に、上記一面側に起立し、矩形平板状部分３ａの幅方向にのびるリブ３ｃが設けられている。リブ３ｃは一片部２の第１の壁２ｂの上端に形成されたノッチ２ｃに嵌合し得る。
【００２３】
結束固定具１は、さらに、一片部２および他片部３の上記一端同士を接続する、可撓性を有する連結バンド４を備えている。
【００２４】
そして、結束固定具１は、一片部２および他片部３が互いに離間する開いた位置（図１（Ａ）、（Ｂ）参照）と、連結バンドに関して二つ折りにされて、一片部２および他片部３が上記一面において互いに対向する閉じた位置（図１（Ｃ）参照）と、をとり得る。
【００２５】
そして、図１（Ｃ）に示すように、結束固定具１が閉じた位置をとるとき、一片部２および他片部３は、上記一端において第１の壁２ｂを介して互いに当接するとともに、一片部２および他片部３のそれぞれの矩形平板状部分２ａ、３ａと、第１および第２の壁２ｂ、３ｂとによって、重ね合わされたベルト９の先端９ａおよび本体９ｂを横切る配置で、ベルト９の先端９ａおよび本体９ｂを挟む断面がロ字状の隙間５が画成される。
【００２６】
結束固定具１は、また、一片部２の矩形平板状部分２ａの、他片部３の矩形平板状部分３ａに対向する面（上記一面）に設けられた複数の円錐形突起８を備えている。
なお、突起８の形状はこの実施例に限定されず、突起８は先細り状であれば任意の形状をとり得る。また、突起８は、他片部３の矩形平板状部分３ａにのみ設けられてもよいし、一片部２および他片部３の両方の矩形平板状部分２ａ、３ａに設けられてもよい。
【００２７】
結束固定具１は、さらに、一片部２の他端と他片部３の他端には、一片部２および他片部３を閉じた位置にロックし得るロック機構を備えている。
ロック機構は、この実施例では、一片部２の矩形平板状部分２ａの他端に設けられた係合突起６と、他片部３の矩形平板状部分３ａの他端に設けられ、係合突起６と係合し得る係合孔７と、からなっている。
【００２８】
係合突起６は、矩形板状部分２ａの他端の中央から、矩形板状部分２ａの上記一面側に起立し、他片部３の第２の壁３ｂと同じ高さを有している。また、係合突起６の先端は楔状をなし、当該先端における第１の壁２ｂから遠い方の面には、ノッチ６ａが形成されている。
【００２９】
係合孔７は、他片部３の他端の中央において、矩形板状部分３ｂと第２の壁３ｂにわたって形成されている。
【００３０】
そして、結束固定部１が閉じた位置をとるとき、係合突起６の先端が係合孔７に進入し、ノッチ６ａにおいて係合孔７の上端縁７ａと係合する。さらに、ノッチ６ａは、湾曲した連結バンド４の復元力によって上端縁７ａに強く押し付けられ、それによって、結束固定具１は閉じた位置にロックされる。
【００３１】
次に、このベルトの結束固定具１の使用方法を説明する。
図１および図２を参照して、高所作業用安全帯のベルト９とベルト連結金具１０を結合する際、ベルト９の先端９ａをベルト連結金具１０の通し孔１０ａに通した後、折り返し、ベルト９の本体９ｂの一面側に重ね合わせた状態で、開いた位置にある結束固定具（図１（Ａ）、（Ｂ）参照）の一片部２および他片部３のうちの一方の矩形平板状部分２ａ、３ａの一面上に置く。
【００３２】
次いで、一片部２および他片部３のうちの他方の矩形平板状部分２ａ、３ａに対応するベルト９の表面領域に接着剤を塗布した後、結束固定具１を二つ折りして閉じた位置（図１（Ｃ）、図２参照）に配置し、重ね合わされたベルト９の先端９ａと本体９ｂを一片部２および他片部３間に挟んだ状態でロックする。
【００３３】
このとき、結束固定具１の円錐形突起８がベルト９に食い込むことによって、ベルトの先端９ａおよび本体９ｂは互いに結束された状態で固定され、さらにこの状態で結束固定具１とベルト９が接着剤によって接着固定される。
【００３４】
こうして、重ね合わされたベルト９の先端９あおよび本体９ｂを、一片部２と他片部３の間に挟み、結束固定具１を閉じた位置にロックするだけで、簡単にかつ短時間で互いに結束して固定することができ、それによって、ハーネス型安全帯の組立が従来よりも低コストで行えるようになる。
【００３５】
以上、本考案の好ましい実施例を説明したが、本考案の構成は上記実施例に限定されず、当業者が添付の実用新案登録請求の範囲に記載された構成の範囲内で種々の変形例を案出し得ることは言うまでもない。
例えば、上記実施例では、第１および第２の壁２ｂ、３ｂを、それぞれ、一片部２の矩形平板状部分２ａおよび他片部３の矩形平板状部分３ａの互いに反対側の端に設けたが、一片部２および他片部３のうちの少なくとも一方の矩形平板状部分２ａ、３ａの一端に第１の壁を設け、他端に第２の壁を設ける構成としてもよい。
【００３６】
また、上記実施例では、結束固定具１が閉じた位置をとるとき、一片部２と他片部３が第１の壁２ｂを介して互いに当接するが、結束固定部１の閉じた位置において、一片部２と他片部３が第１および第２の壁２ｂ、３ｂを介して互いに当接するようにしてもよい。
【００３７】
また、ロック機構の構成も上記実施例に限定されず、ロック機構は、一片部２の他端と他片部３の他端に設けられて一片部２および他片部３を閉じた位置にロックし得るものであれば、任意の構成とし得る。
【００３８】
図３は、図１のベルトの結束固定具１をベルト通し環として使用した変形例を示す図であり、（Ａ）は平面図であり、（Ｂ）は側面図であり、（Ｃ）は使用状態を示す斜視図である。
【００３９】
この変形例は、図１の実施例では、一片部２の矩形平板状部分２ａに円錐形突起８を設けたのに対し、円錐形突起８の代わりにリブ１１を設けた点が、図１の実施例と異なるだけである。
よって、図３中、図１に示したものと同じ構成要素には同一番号を付し、以下ではそれらの詳細な説明を省略する。
【００４０】
図３（Ａ）および図３（Ｂ）に示すように、この変形例では、ベルト通し環１’の一片部２の矩形平板状部分２ａの、他片部３の矩形平板状部分３ａに対向する面（上記一面）に、リブ１１が設けられて、矩形平板状部分２ａの長さ方向にのびている。
【００４１】
そして、図３（Ｃ）に示すように、ベルト９の先端９ａと本体９ｂを重ね合わせた状態で、開いた位置にある結束固定具（図３（Ａ）、（Ｂ）参照）の一片部２および他片部３のうちの一方の矩形平板状部分２ａ、３ａの一面上に置く。
【００４２】
次いで、ベルト通し環１’を二つ折りして閉じた位置（図３（Ｃ）参照）に配置し、重ね合わされたベルト９の先端９ａと本体９ｂを一片部２および他片部３間に挟んだ状態でロックする。
このとき、リブ１１によって、ベルト９の先端９ａおよび本体９ｂは適度な力で一片部２および他片部３間に挟持されるので、ベルト通し環１’がベルト９の長さ方向にずれ動くことが防止される。
【００４３】
こうして、ベルト通し環１’を、ベルト９の本体９ｂの外側に嵌め込むことなく、ワンタッチで本体９ｂに装着することができ、その結果、ハーネス型安全帯の組立がより低コストで行えるようになる。
【符号の説明】
【００４４】
１  結束固定具
１’  ベルト通し環
２  一片部
２ａ  矩形平板状部分
２ｂ  第１の壁
２ｃ  ノッチ
３  他片部
３ａ  矩形平板状部分
３ｂ  第２の壁
３ｃ  リブ
４  連結バンド
５  隙間
６  係合突起
６ａ  ノッチ
７  係合孔
７ａ  上端縁
８  円錐形突起
９  ベルト
９ａ  先端
９ｂ  本体
１０  ベルト連結金具
１０ａ  通し孔
１１  リブ
【図１】
0003224846.tif 000003
【図２】
0003224846.tif 000004
【図３】
0003224846.tif 000005